(57)【要約】【課題】  プレゼンテーションを好適に行うことのできる資料提示装置を提供する。【解決手段】  資料提示装置は、ＯＳＤからポインティングマーカＰＭの選択を受けると、そのポインティングマーカＰＭをマウスカーソルＭＣの位置と同じ位置に表示する。そして、画面上の任意の位置でマウスの左クリック操作を検出すると、その位置にポインティングマーカを固定的に配置する。一旦配置されたポインティングマーカは、そのポインティングマーカの上で左クリックを検出した場合に、自由に移動させることができる。このような資料提示装置によれば、マウスカーソルＭＣを移動させたとしても、ポインティングマーカによって画像上の任意の位置を指し示すことができるため、好適にプレゼンテーションを行うことができる。【選択図】  図２
2005311598.tif 000002
【特許請求の範囲】
【請求項１】
資料を撮影して画像を生成し、該画像を接続された表示装置に表示する資料提示装置であって、
前記表示装置に表示された画像上の任意の位置を指し示すためのポインティングデバイスの操作を検出する操作検出手段と、
前記ポインティングデバイスの移動操作に応じて移動するカーソルを、前記画像上に表示するカーソル表示手段と、
前記カーソルが指し示す前記画像上の位置に対して、所定の操作に基づき、予め形態の定められた所定のマーカを固定的に配置するマーカ配置手段と
を備える資料提示装置。
【請求項２】
請求項１に記載の資料提示装置であって、
前記カーソル表示手段は、前記所定の操作が検出されるまで、前記マーカを前記移動するカーソルと共に表示する手段を備える
資料提示装置。
【請求項３】
請求項１または２に記載の資料提示装置であって、
前記マーカ配置手段は、所定の操作に基づき、前記配置されたマーカを消去する手段を備える
資料提示装置。
【請求項４】
請求項１ないし３のいずれかに記載の資料提示装置であって、
前記マーカ配置手段は、前記マーカの配置に先立ち、予め用意され、態様の異なる複数のマーカの中から前記所定のマーカを選択するマーカ選択手段を備える
資料提示装置。
【請求項５】
請求項１ないし４のいずれかに記載の資料提示装置であって、
前記マーカ配置手段は、前記カーソルが指し示す位置を含む前記画像中の所定の領域の色調を、他の領域の色調と異ならせることによって前記マーカを配置する手段である
資料提示装置。
【請求項６】
資料を撮影して画像を生成し、該画像を接続された表示装置に表示する資料提示装置において、該画像上に所定のマーカを表示する表示方法であって、
前記表示装置に表示された画像上の任意の位置を指し示すためのポインティングデバイスの操作を検出し、
前記ポインティングデバイスの移動操作に応じて移動するカーソルを、前記画像上に表示し、
前記カーソルが指し示す前記画像上の位置に対して、所定の操作に基づき、予め形態の定められた所定のマーカを固定的に配置する表示方法。
【発明の詳細な説明】
【技術分野】
【０００１】
本発明は、資料をカメラで撮影して画像を生成し、この画像を外部モニタ等に表示する資料提示装置に関するものである。
【背景技術】
【０００２】
資料提示装置は、プレゼンテーションを行う現場などで利用される装置であり、近年では、マウスなどのポインティングデバイスが接続可能となっている。カメラによって撮像され、モニタに表示された画像上には、このポインティングデバイスの操作に伴って移動するカーソルが表示される。ユーザは、このカーソルを移動させることにより、モニタ上に表示された画像上の任意の位置を容易に指し示すことができる。
【０００３】
また、下記特許文献１に記載されているように、近年の資料提示装置では、ＯＳＤ（オンスクリーンディスプレイ）を利用した種々の設定操作が可能となっている。ユーザは、ＯＳＤを用いることにより、モニタ上に表示されたグラフィカルなユーザインタフェースを介して、色調やカメラの調整など、資料提示装置の種々の設定を行うことができる。上述したポインティングデバイスは、このＯＳＤの操作にも利用される。
【０００４】
【特許文献１】特開２００２−２８１４６７号公報
【発明の開示】
【発明が解決しようとする課題】
【０００５】
しかしながら、ユーザが、ＯＳＤの操作を行うためにカーソルを移動させると、これまで指し示していた資料上の位置からカーソルが離れることになり、プレゼンテーションの進行が阻害されるおそれがあった。本発明は、このような課題を考慮してなされたものであり、プレゼンテーションを好適に行うことのできる資料提示装置の提供を目的とする。
【課題を解決するための手段】
【０００６】
上記目的を達成するため、本発明の資料提示装置は次の構成を備える。すなわち、資料を撮影して画像を生成し、該画像を接続された表示装置に表示する資料提示装置であって、前記表示装置に表示された画像上の任意の位置を指し示すためのポインティングデバイスの操作を検出する操作検出手段と、前記ポインティングデバイスの移動操作に応じて移動するカーソルを、前記画像上に表示するカーソル表示手段と、前記カーソルが指し示す前記画像上の位置に対して、所定の操作に基づき、予め形態の定められた所定のマーカを固定的に配置するマーカ配置手段とを備えることを要旨とする。
【０００７】
本発明の資料提示装置は、所定の操作があった場合に、画像上のカーソルの位置に対して所定のマーカを固定的に配置する。そのため、マーカが配置された後にカーソルを移動させたとしても、マーカは一定の位置を指し示すことになり、プレゼンテーションを好適に行うことができる。前述した所定の操作とは、例えば、ポインティングデバイスに備えられたボタンの操作や、資料提示装置に備えられたボタンの操作などである。上記構成においてポインティングデバイスとしては、例えば、マウスやタブレット、デジタイザ、トラックボール、ジョイスティック、十字キーを備えたリモコンなど、種々の入力装置を利用することができる。
【０００８】
前記カーソル表示手段は、前記所定の操作が検出されるまで、前記マーカを前記移動するカーソルと共に表示する手段を備えるものとしてもよい。こうすることによって、マーカが指し示す位置を目視しながらその配置を行うことができるため、容易にマーカを配置することが可能になる。また、現在の操作が、マーカを配置するための操作であることを明確に示すことができる。
【０００９】
前記マーカ配置手段は、所定の操作に基づき、前記配置されたマーカを消去する手段を備えるものとしてもよい。こうすることによって、一旦配置されたマーカを消去し、他の位置にマーカを配置させることができる。マーカを消去するための所定の操作としては、例えば、マーカの位置にカーソルを移動させ、その上でポインティングデバイスや資料提示装置に備えられたボタンを押下する操作や、ＯＳＤ上に用意されたマーカを消去させるためのボタンを押下する操作など種々の態様を採ることができる。
【００１０】
前記マーカ配置手段は、前記マーカの配置に先立ち、予め用意され、態様の異なる複数のマーカの中から前記所定のマーカを選択するマーカ選択手段を備えるものとしてもよい。このような構成とすれば、用途に応じてマーカを使い分けることが可能になる。異なる態様としては、外観、形状、形態など、種々の要素を考えることができる。外観として、例えば、様々な色のマーカを用意すれば、モニタ上に表示された資料の色調に応じてマーカを使い分けることができる。また、形状として、例えば、大きさの異なるマーカを複数用意すれば、モニタに表示された資料上の指し示す部分の大きさに応じてマーカを使い分けることができる。
【００１１】
前記マーカ配置手段は、前記カーソルが指し示す位置を含む前記画像中の所定の領域の色調を、他の領域の色調と異ならせることによって前記マーカを配置する手段であるものとしてもよい。このような構成では、例えば、カーソルが指し示す部分を明るくして、その他の部分を暗くするといった態様を採ることができる。このような態様であれば、画像上の任意の位置を目立たせて表示することができる。また、逆に、カーソルが指し示す部分を暗くし、その他の部分を明るくするものとしてもよい。その他、カーソルが指し示す部分をカラー表示し、その他の部分を白黒、あるいはセピア調に表示する態様とすることもできる。
【００１２】
本発明において、上述した種々の態様は、適宜、組み合わせたり、一部を省略したりして適用することができる。また、本発明は、資料提示装置において画像上に所定のマーカを表示する表示方法や画像上に所定のマーカを表示するためのコンピュータプログラムなどとしても構成することができる。いずれの構成においても上述した種々の態様を適用可能である。コンピュータプログラムは、コンピュータが読み取り可能な記録媒体に記録するものとしてもよい。記録媒体としては、例えば、フレキシブルディスクやコンパクトディスク、デジタルバーサタイルディスク、光磁気ディスク、メモリカード、ハードディスク等の種々の媒体を利用することができる。
【発明を実施するための最良の形態】
【００１３】
以下、本発明の実施の形態について実施例に基づき次の順序で説明する。
Ａ．資料提示装置の概略構成：
Ｂ．資料提示装置の内部構成：
Ｃ．ＯＳＤの態様：
Ｄ．マウスカーソルおよびＯＳＤの表示手順：
Ｅ．ポインティングマーカの配置処理：
【００１４】
Ａ．資料提示装置の概略構成：
図１は、本発明の一実施例としての資料提示装置１０の概略構成を示す説明図である。資料提示装置１０は、その底部の大部分を占める資料載置台１１や、これに対向するカメラヘッド１２、資料載置台１１をその上面から演出照明する左右のライト１３，１４などによって構成されている。ライト１３，１４は、資料載置台１１の左右後端部に対して回動自在に接続されており、資料載置台１１上の資料の撮影の際に必要に応じて使用される。また、資料載置台１１の上面は光透過性を有する素材によって形成されており、内部にライト１５が内蔵されている。このライト１５は、資料載置台１１に載置されたネガフィルムなどを下面から照明する場合などに用いられる。
【００１５】
資料載置台１１の前縁部には、操作パネル１７が設けられている。操作パネル１７には、電源ボタンや、上記ライト１３，１４，１５のオン／オフを切り替えるボタン、カメラヘッド１２によるズームやフォーカス、アイリスを調整するためのボタン、画像の出力先を切り替えるためのボタンなど、種々の操作ボタンが備えられている。
【００１６】
カメラヘッド１２は、資料載置台１１のほぼ中央領域に対向するようにアーム１６で支持されており、資料載置台１１に載置された種々の資料を撮像する。カメラヘッド１２は、ＣＣＤ（電荷結合素子）や、このＣＣＤに光を集光するためのフォーカスレンズやズームレンズを備え、更に、これらのレンズの位置を光軸上に移動させる制御モータやアイリスを調整するためのアイリス調整機構などを備えている。ＣＣＤは、レンズを介して集光された光を画像信号に変換し、この画像信号を資料載置台１１の内部に設けられた制御回路に出力する。制御回路は、フレームレート変換など種々の画像処理を施した上で、この画像信号を資料提示装置１０に接続された表示装置１８に出力する。表示装置１８としては、例えば、ＣＲＴや液晶ディスプレイ、プロジェクタ、テレビなどを利用することができる。
【００１７】
資料提示装置１０には、ポインティングデバイスとしてマウス１９が接続されている。マウス１９には、左ボタン１９Ｌと右ボタン１９Ｒとが備えられている。以下の説明では、左ボタン１９Ｌが押されることを「左クリック」と呼ぶ。ユーザによってマウス１９が移動操作されると、その操作に伴って移動するマウスカーソルＭＣが、カメラヘッド１２により撮像された画像に重ね合わされて表示装置１８に表示される。ユーザは、このマウス１９を用いることにより、後述するＯＳＤ（オンスクリーンディスプレイ）の操作や、表示装置１８に表示された画像中の任意の位置を指し示すことができる。なお、本実施例では、ポインティングデバイスとしてマウス１９が接続されるものとしたが、タブレットやデジタイザ、トラックボール、ジョイスティック、十字キーを備えたリモコンなど、種々の入力装置をポインティングデバイスとして適用することができる。
【００１８】
図２は、資料提示装置１０によって表示装置１８上に表示される画像の一例を示す説明図である。ここでは、資料としてリンゴを撮像した場合の画像を示している。表示装置１８上には、カメラヘッド１２によって撮像されたリンゴの画像が表示され、その画像上には、マウスカーソルＭＣやＯＳＤ２１、ポインティングマーカＰＭ１〜ＰＭ３などが重ね合わされて表示されている。ポインティングマーカＰＭ１〜ＰＭ３は、画像上の任意の位置を指し示すために配置されるマーカである。
【００１９】
ＯＳＤ２１は、資料提示装置１０に対する種々の設定や操作を行うためのグラフィカルなユーザインタフェースである。ＯＳＤ２１には、複数のタブＡ〜Ｅが備えられており、そのタブ毎に、様々な操作ボタンが配置されている。ユーザは、このＯＳＤ２１を用いることにより、ポインティングマーカＰＭ１〜ＰＭ３の配置や、四角形Ｂ１や曲線Ｌ１など、画像上への種々の描画を行うことができる。
【００２０】
Ｂ．資料提示装置の内部構成：
図３は、資料提示装置１０の内部に設けられた制御回路１００のブロック図である。この制御回路１００は、カメラヘッド１２から入力した画像に対して種々の画像処理を施す画像処理回路１１０や、画像上に描画を行うための描画処理回路１２０、ポインティングマーカ等を表示するためのキャラクタ発生回路１３０、ＯＳＤ２１を表示するためのＯＳＤ発生回路１４０、マウスカーソルＭＣを表示するためのマウスカーソル発生回路１５０などを備えており、更に、これらの回路から出力された画像を合成するための画像合成回路１６０や資料提示装置１０全体の動作を制御するマイクロコンピュータ１７０などを備えている。
【００２１】
マイクロコンピュータ１７０は、ＣＰＵ１７１やＲＡＭ１７２、ＥＥＰＲＯＭ１７３などを備えており、ＥＥＰＲＯＭ１７３には、カメラヘッド１２や上述した各回路を制御するためのプログラムが記録されている。ＣＰＵ１７１は、ＲＡＭ１７２を作業領域として用いつつ、このプログラムを実行する。ＲＡＭ１７２は、画像処理回路１１０によって出力される画像を一時的に記憶する用途にも用いられ、ＥＥＰＲＯＭ１７３は、ＯＳＤ２１によって設定された種々のパラメータを不揮発的に記憶する用途にも用いられる。
【００２２】
マイクロコンピュータ１７０には、操作検出回路１７５を介してマウス１９や操作パネル１７が接続されている。マイクロコンピュータ１７０は、操作検出回路１７５を用いてマウス１９の移動量を検出する。マイクロコンピュータ１７０は、この移動量を順次加算することで、マウス１９が指し示している画像上の座標を求める。こうして求められた座標データやマウス１９のクリック信号、操作パネル１７の操作信号などは、以下に説明する種々の回路に適宜出力される。
【００２３】
画像処理回路１１０は、ＡＦＥ回路１１２を介してカメラヘッド１２から出力された画像信号を入力する。カメラヘッド１２内には、ズームレンズ３１やフォーカスレンズ３３を含む多数のレンズ、アイリス調製機構３２、ＣＣＤ３４などが備えられている。ＡＦＥ回路１１２は、このカメラヘッド１２内のＣＣＤ３４から出力されたアナログ信号をデジタル信号に変換するための回路である。画像処理回路１１０は、ＣＣＤから１秒あたり１５フレーム（１５ｆｐｓ）のタイミングで出力される画像信号を順次入力し、フレームメモリ１１１に記憶する。そして、１秒あたり６０フレームのタイミング（６０ｆｐｓ）で、このフレームメモリから画像データを読み出し、画像合成回路１６０に出力する。こうすることにより、ＣＣＤ３４から出力される画像のフレームレートを、表示装置１８での表示に適したフレームレートに変換することができる。本実施例では、ＣＣＤ３４から入力する画像の解像度はＳＸＧＡ（１２８０画素×１０２４画素）であり、画像合成回路１６０に出力する画像サイズはともにＳＸＧＡサイズであるものとする。
【００２４】
画像処理回路１１０は、上述したフレームレートを変換する機能のほか、ＲＧＢベイヤー配列状のＣＣＤ画素データを補間する機能や、マイクロコンピュータ１７０からの命令に応じて画像を拡大／縮小する機能、画像の色調を調整する機能、画像を回転させる機能などを備えている。
【００２５】
描画処理回路１２０は、マイクロコンピュータ１７０が出力する描画コマンドや、マウス１９の移動に伴ってマイクロコンピュータ１７０が生成出力する座標データなどに応じて、描画メモリ１２１に対して直線や曲線など種々の図形の描画を行う。描画メモリ１２１に描画された画像は、上述した画像処理回路１１０による画像出力と同期したタイミング（６０ｆｐｓ）で画像合成回路１６０に出力される。
【００２６】
キャラクタ発生回路１３０は、マウス１９の移動と連動して動くポインティングマーカや消しゴムポインタなどのキャラクタを表示するための回路である。キャラクタ発生回路１３０は、キャラクタＲＯＭ１３１を備えており、キャラクタＲＯＭ１３１には、各キャラクタを表す画像データが記録されている。キャラクタ発生回路１３０は、表示するキャラクタの種別を指定するための番号やその座標データをマイクロコンピュータ１７０から入力すると、指定された座標に指定されたキャラクタを配置した１６ドット×１６ドットの画像を生成する。そして、この画像を画像処理回路１１０と同期したタイミング（６０ｆｐｓ）で画像合成回路１６０に出力する。
【００２７】
ＯＳＤ発生回路１４０は、ＯＳＤを表す種々のグラフィックデータが格納されたグラフィックＲＯＭ１４１を備えている。ＯＳＤ発生回路１４０は、マイクロコンピュータ１７０から表示を行うＯＳＤのパターンの指定を受けると、指定されたパターンのグラフィックデータをグラフィックＲＯＭから読み出す。そして、このグラフィックを所定の位置に描画したＳＸＧＡサイズの画像を生成し、画像処理回路１１０と同期したタイミング（６０ｆｐｓ）で画像合成回路１６０に出力する。
【００２８】
マウスカーソル発生回路１５０は、マウスカーソルＭＣの色を指定するための信号や、座標データをマイクロコンピュータ１７０から入力すると、指定された座標に指定された色のマウスカーソルＭＣを配置した３２ドット×３２ドットの画像を生成する。そして、この画像を画像処理回路１１０と同期したタイミング（６０ｆｐｓ）で画像合成回路１６０に出力する。
【００２９】
画像合成回路１６０は、上述した各回路から出力される画像を合成する。合成する優先順位は優先度の低い順に以下の通りである。この順位によれば、カメラヘッド１２によって撮像された画像に対して、ＯＳＤやマウスカーソルが重ね合わされて表示されることになる。
（１）画像処理回路１１０から出力された画像。
（２）描画処理回路１２０から出力された画像。
（３）キャラクタ発生回路１３０から出力された画像。
（４）ＯＳＤ発生回路１４０から出力された画像。
（５）マウスカーソル発生回路１５０から出力された画像。
【００３０】
画像合成回路１６０によって合成された画像は、ビデオＤＡＣ１８０に出力される。ビデオＤＡＣ１８０は、画像合成回路１６０から出力されたデジタル信号をアナログＲＧＢ信号に変換する。このビデオＤＡＣ１８０で変換されたアナログＲＧＢ信号は、液晶ディスプレイやＣＲＴ、プロジェクタなどに画像を表示する際に用いられる。
【００３１】
ビデオＤＡＣ１８０から出力されたアナログＲＧＢ信号は、更に、スキャンコンバータ１９０によってダウンコンバートされ、ＮＴＳＣ信号もしくはＰＡＬ信号に変換される。これらの信号は、テレビやビデオに画像を出力する際に用いられる。
【００３２】
Ｃ．ＯＳＤの態様：
図４〜図８には、ＯＳＤ発生回路１４０によって表示されるＯＳＤの種々の態様を示している。図２で示したように、ＯＳＤには、タブＡ〜Ｅが備えられており、これらのタブのいずれかがマウス１９によるクリック操作で選択されることにより、機能別に分類された種々のパターンのＯＳＤが表示される。
【００３３】
図４は、カメラ関係の調整を行うための機能がまとめられたＯＳＤを示す説明図である。このＯＳＤは、タブＡが選択されることにより表示される。このＯＳＤには、フォーカスを調整するためのボタンＢＡ１，ＢＡ２や、フォーカスを自動的に合わせるためのボタンＢＡ３、ズームを調整するためのボタンＢＡ４，ＢＡ５、アイリスを調整するためのボタンＢＡ６，ＢＡ７、アイリスを自動調整するかマニュアル調整するかの切り替えを行うためのボタンＢＡ８などが用意されている。これらのボタンが押されると、マイクロコンピュータ１７０は、カメラヘッド１２を制御してフォーカスレンズ３３やズームレンズ３１の光軸上の位置、アイリス調整機構３２の開度を調整する（図３参照）。
【００３４】
また、このＯＳＤには、更に、ホワイトバランスを自動調整するためのボタンＢＡ９や、ボタン押下でのホワイトバランス値を固定するためのボタンＢＡ１０、手動でホワイトバランスを調整するためのボタンセットＢＡ１１が用意されている。これらのボタンが操作されると、マイクロコンピュータ１７０は、画像処理回路１１０を制御することにより、画像のホワイトバランスを調整する。
【００３５】
図５は、ライトの制御や画像処理に関する機能がまとめられたＯＳＤを示す説明図である。このＯＳＤは、タブＢが選択されることにより表示される。このＯＳＤには、ライト１３，１４のオン／オフを切り替えるためのボタンＢＢ１やライト１５のオン／オフを切り替えるためのボタンＢＢ２が用意されている。マイクロコンピュータ１７０は、これらのボタンが押されると、指定された各ライトをオン／オフさせる。
【００３６】
また、このＯＳＤには、画像を回転させるためのボタンＢＢ３やカラー／白黒の切り替えを行うためのボタンＢＢ４、画像のポジ／ネガを切り替えるためのボタンＢＢ５、コントラストの設定を切り替えるためのボタンＢＢ６、表示する画像を静止させるためのボタンＢＢ７、エッジの強調度を切り替えるためのボタンＢＢ８、画像のＳ／Ｎ比を向上させる為のモードを切り替えるためのボタンＢＢ９、画像のガンマ値を設定するためのボタンセットＢＢ１０が用意されている。これらのボタンが操作されると、マイクロコンピュータ１７０は画像処理回路１１０を制御して、所定の画像処理を行わせる。
【００３７】
また、このＯＳＤには、資料提示装置１０が音声出力端子を介して出力する音声の音量を調整するためのボタンセットＢＢ１１も用意されている。さらに、このＯＳＤには、マウスカーソルＭＣの色や形状を変化させるためのボタンＢＢ１２も用意されている。このボタンＢＢ１２が押される毎に、マウスカーソルＭＣが、白矢印、青矢印、黄矢印、赤矢印、白ライン、青ライン、黄ライン、赤ライン、と変化する。マイクロコンピュータ１７０は、このボタンＢＢ１２が押されたことを検出すると、マウスカーソル発生回路１５０に対して、その色や形状を指定するための信号を出力する。
【００３８】
図６は、図形の描画やポインティングマーカの配置を行うための機能がまとめられたＯＳＤを示す説明図である。このＯＳＤは、タブＣが選択されることにより表示される。このＯＳＤには、フリーハンドで線を描画するためのボタンＢＣ１や、直線を描画するためのボタンＢＣ２、四角形を描画するためのボタンＢＣ３、水平補助線を描画するためのボタンＢＣ４、垂直補助線を描画するためのボタンＢＣ５、線の太さを変更するためのボタンＢＣ６、描画された任意の部分を消去するためのボタンＢＣ７、任意の矩形領域内の図形を消去するためのボタンＢＣ８、全ての図形を消去するためのボタンＢＣ９、描画する図形の色を指定するためのカラーパレットＢＣ１０などが用意されている。これらのボタンが押されると、マイクロコンピュータ１７０は、所定の描画コマンドや座標データ等を描画処理回路１２０に適宜出力する。これらのボタンのうち、ボタンＢＣ７が押された場合には、マイクロコンピュータ１７０は、マウスカーソル発生回路１５０を制御してマウスカーソルＭＣを消去し、キャラクタ発生回路１３０を制御することにより、マウスカーソルＭＣが表示されるべき位置に消しゴムポインタを表示させる処理を行う。
【００３９】
また、このＯＳＤには、図２に示したポインティングマーカＰＭ１〜ＰＭ３を画像上に配置するためのマーカボタンＢＣ１１〜１３が用意されている。ポインティングマーカは、赤、青、緑の３種類の色が用意されており、ユーザは、この中から任意の色のポインティングマーカを選択することができる。配置を行うポインティングマーカがマウス１９の操作によって選択されると、そのマーカボタンの周囲枠が白色に表示される。このポインティングマーカを配置するための処理については、後に詳細に説明する。なお、ここでは、色の異なるポインティングマーカを複数用意するものとしたが、形状の異なるポインティングマーカを複数用意するものとしてもよい。また、ポインティングマーカの色は、所定の操作によって変更可能であるものとしてもよい。
【００４０】
図７は、資料提示装置１０の設定状態を保存するための機能がまとめられたＯＳＤを示す説明図である。このＯＳＤは、タブＤが選択されることにより表示される。このＯＳＤには、ズームやフォーカス、色調など、種々のパラメータを記憶するためのプリセットボタンＢＤ１や、記憶されたパラメータを呼び出すためのコールボタンＢＤ２が用意されている。また、電源投入時に設定されるパラメータの値を記憶するためのボタンＢＤ３や、各パラメータを工場出荷状態に戻すためのボタンＢＤ４も用意されている。プリセットボタンＢＤ１は、８つのボタンによって構成されており、それぞれのボタン毎に個別にパラメータを記憶することができる。マイクロコンピュータ１７０は、プリセットボタンＢＤ１が押されると、現在設定されているパラメータをＥＥＰＲＯＭ１７３内の各ボタンに割り当てられた領域に記録する。また、コールボタンＢＤ２が押されると、押されたボタンに対応するＥＥＰＲＯＭ１７３内の所定の領域から記録されたパラメータを読み出し、読み出したパラメータに応じてカメラヘッド１２や画像処理回路１１０に対する種々の設定を行う。
【００４１】
図８は、画像を保存するための機能がまとめられたＯＳＤを示す説明図である。このＯＳＤは、タブＥが選択されることにより表示される。このＯＳＤには、カメラヘッド１２によって撮像された画像を保存するための保存ボタンＢＥ１や、保存した画像を読み出すための読出ボタンＢＥ２が用意されている。保存ボタンＢＥ１は、８枚の画像を個別に記憶するために８つのボタンを備えている。マイクロコンピュータ１７０は、この保存ボタンＢＥ１が押されると、押されたボタンの番号に対応するフレームメモリ１１１内の所定の領域に、画像を記憶させる。また、読出ボタンＢＥ２が押されると、押されたボタンに対応するフレームメモリ１１１内の所定の領域から画像を読み出す。読み出された画像は、画像処理回路１１０によって表示装置１８に出力される。なお、画像は、フレームメモリ１１１ではなく、ＲＡＭ１７２やＥＥＰＲＯＭ１７３、資料提示装置１０に別途備えられたフラッシュメモリ等に記憶するものとしてもよい。また、このＯＳＤには、読出ボタンＢＥ２によってフレームメモリ１１１から読み出した画像と、カメラヘッド１２によって撮像された画像とを画面を２分割することにより比較などのために同時に表示させるための分割ボタンＢＥ３も用意されている。
【００４２】
上述した種々のＯＳＤには、それぞれ、その右上部分に「ＥＸＩＴ」と表記されたボタンＥＸが用意されている。ボタンＥＸが押されると、マイクロコンピュータ１７０は、ＯＳＤ発生回路１４０を制御して、ＯＳＤの消去を行う。
【００４３】
Ｄ．マウスカーソルおよびＯＳＤの表示手順：
図９は、マウスカーソルＭＣとＯＳＤを表示する手順を示す説明図である。資料提示装置１０の起動直後には、表示装置１８には、カメラヘッド１２によって撮像された画像のみが表示される。このとき、マウスカーソルＭＣとＯＳＤとは非表示状態である（ステップＳ１）。この状態でマウス１９による左クリック操作を検出すると、マイクロコンピュータ１７０は、マウスカーソル発生回路１５０を制御して表示装置１８にマウスカーソルＭＣを表示させる（ステップＳ２）。この状態で更に左クリック操作を検出すると、マイクロコンピュータ１７０は、ＯＳＤ発生回路１４０を制御して表示装置１８上の所定の位置にＥＮＴＥＲボタンを表示させる（ステップＳ３）。この状態でマウス１９の操作によりＥＮＴＥＲボタンが押されたことを検出すると、マイクロコンピュータ１７０はＯＳＤ発生回路１４０を制御して表示装置１８上にＯＳＤを表示させる（ステップＳ４）。
【００４４】
次に、ＯＳＤの各タブに用意されたＥＸＩＴボタンが押されたことを検出すると、マイクロコンピュータ１７０は、ＯＳＤを消去し、ＥＮＴＥＲボタンの表示を行う（ステップＳ３）。この状態で、ＥＮＴＥＲボタンが押されれば、再びＯＳＤの表示を行う（ステップＳ４）。ＥＮＴＥＲボタン以外の領域でマウス１９による左クリック操作を検出すると、マイクロコンピュータ１７０はＥＮＴＥＲボタンを消去する（ステップＳ２ｂ）。さらにこの状態で左クリック操作を検出すると、マウスカーソルＭＣを消去する（ステップＳ１）。この場合、画面上には、カメラヘッド１２によって撮像された画像だけが表示されることとなる。
【００４５】
Ｅ．ポインティングマーカの配置処理：
次に、図２に示したポインティングマーカＰＭ１〜ＰＭ３を配置する処理について説明する。図１０は、ポインティングマーカを配置する際にマイクロコンピュータ１７０によって実行される処理のフローチャートである。この処理は、図６に示したＯＳＤが表示された状態で実行される処理である。
【００４６】
まず、マイクロコンピュータ１７０は、ＯＳＤのタブＣに用意されたマーカボタンＢＣ１１〜１３（図６参照）の押下を検出することにより、ポインティングマーカＰＭ１〜ＰＭ３のうち、いずれかのポインティングマーカが選択されたかどうかを判断する（ステップＳ１００）。ポインティングマーカが選択されたと判断すると（ステップＳ１００：Ｙｅｓ）、次に、選択されたポインティングマーカが、既に画像上に配置されているか否かを判断する（ステップＳ１１０）。この判断は、後述するＲＡＭ１７２の所定の領域にポインティングマーカの座標が既に記憶されているかどうかに基づき判断することができる。配置されていないと判断した場合には（ステップＳ１１０：Ｎｏ）、選択されたポインティングマーカをマウスカーソルＭＣと同じ位置に表示する（ステップＳ１２０）。具体的には、選択されたポインティングマーカの種類を指定するための番号と共に、マイクロコンピュータ１７０からマウスカーソル発生回路１５０に対して出力される座標データと同じ座標データをキャラクタ発生回路１３０に出力する。こうすることにより、ＯＳＤ上で選択されたポインティングマーカが、マウスカーソルＭＣと同じ位置に表示されることになる。
【００４７】
次に、マイクロコンピュータ１７０は、マウス１９によって左クリック操作がされたかどうかを検知する（ステップＳ１３０）。左クリック操作を検知した場合には（ステップＳ１３０：Ｙｅｓ）、その時点でのマウスカーソルＭＣの位置にポインティングマーカを配置する（ステップＳ１４０）。具体的には、マウス１９による左クリック操作を検知したタイミングでマウスカーソルＭＣの座標をＲＡＭ１７２に記録する。そして、この座標と共にポインティングマーカの種類を表す番号をキャラクタ発生回路１３０に常時出力する。上述したように、キャラクタ発生回路１３０は、指定された座標に対して指定されたポインティングマーカの表示を行うため、このような処理により画像上にポインティングマーカが固定されて表示されることになる。なお、ＲＡＭ１７２には、ポインティングマーカの種類に応じて座標を記憶するための領域が個別に定められている。そのため、各ポインティングマーカを、異なる座標に個別に配置することができる。上記ステップＳ１３０において、左クリック操作が検知されない場合には（ステップＳ１３０：Ｎｏ）、処理をステップＳ１２０に戻す。こうすることで、マウスカーソルＭＣの移動に伴い、ポインティングマーカも移動することになる。
【００４８】
上記ステップＳ１１０において、既にポインティングマーカが配置されていると判断した場合には（ステップＳ１１０：Ｙｅｓ）、マイクロコンピュータ１７０は、そのポインティングマーカを消去する（ステップＳ１５０）。
【００４９】
上記ステップＳ１００において、ポインティングマーカが選択されていないと判断した場合には（ステップＳ１００：Ｎｏ）、マイクロコンピュータ１７０は、既に配置されたポインティングマーカの上にマウスカーソルＭＣが重なった状態でマウス１９が左クリック操作されたかどうかを検出する（ステップＳ１６０）。ポインティングマーカとマウスカーソルＭＣとが重なっているか否かは、上記ステップＳ１４０においてＲＡＭ１７２に記憶された座標と、マウスカーソルＭＣの座標とを比較することで判断することができる。かかる状態で左クリックを検出した場合には（ステップＳ１６０：Ｙｅｓ）、上記ステップＳ１４０においてＲＡＭ１７２に記憶された座標を消去することでポインティングマーカの固定を解除し（ステップＳ１７０）、上記ステップＳ１２０に処理を移行する。こうすることで、再びそのポインティングマーカがマウスカーソルＭＣと同じ位置に表示され、ポインティングマーカを配置する位置を再設定することができる。
【００５０】
マイクロコンピュータ１７０は、以上で説明した処理を、常時ループして実行する。以上で説明した処理によれば、ＯＳＤの操作よって選択されたポインティングマーカを画面上の任意の位置に配置することができる。また、一旦ポインティングマーカが配置された後であっても、そのポインティングマーカを容易に別の位置に移動させることが可能になる。また、この処理によれば、ポインティングマーカＰＭ１〜ＰＭ３を、個別に任意の位置に配置することができるため、これらのポインティングマーカを用途に応じて使い分けることができる。
【００５１】
以上、本実施例の資料提示装置１０の構成や処理について説明した。本実施例の資料提示装置１０によれば、マウスカーソルＭＣだけではなく、ポインティングマーカによっても画像上の任意の位置を指し示すことができる。従って、ＯＳＤの操作を行うためにマウスカーソルＭＣを移動させたとしても、ポインティングマーカによって画像上の任意の位置を差し示すことができ、好適にプレゼンテーションを行うことが可能となる。また、本実施例によれば、ポインティングマーカは、ＯＳＤやマウス１９を用いた簡易な操作で配置を行うことができる。そのため、操作性に優れた資料提示装置１０を提供することが可能となる。
【００５２】
なお、本実施例のポインティングマーカは、図２に示すように、上方向を向いた矢印状の形状であるものとしたが、矢印が指し示す方向は任意である。例えば、下方向であってもよいし、左右方向であってもよい。また、マウスカーソルＭＣと同じ方向を指し示すものとしてもよい。その他、方向を所定の操作によって任意に変更できるものとしてもよい。また、ポインティングマーカの形状は矢印状に限定されない。例えば、十字状であってもよいし、円状であってもよい。更に、ポインティングマーカの色も任意である。この場合、所定のＯＳＤによって任意の色に設定できるものとしてもよいし、一旦配置したポインティングマーカの色を適宜変更できるものとしてもよい。
【００５３】
また、本実施例では、矢印状のポインティングマーカを表示装置１８上に表示するものとしたが、ポインティングマーカを配置すべき位置周辺の色調を他の領域の色調と異ならせる表示を行うことにより、ポインティングマーカと同様の機能を実現する構成としてもよい。このような構成では、例えば、図１１に示すように、ポインティングマーカを配置すべき位置周辺の領域の輝度を、他の領域の輝度よりも相対的に明るくする態様や、ポインティングマーカを配置すべき位置周辺の領域をカラー表示し、他の領域を白黒表示あるいはセピア調に表示する態様を採用することができる。このような構成によれば、ポインティングマーカの配置によって、その下面に位置する画像が隠されることがなく、また、画像上の任意の位置を目立たせて表示することができるため、プレゼンテーションを好適に行うことができる。
【００５４】
また、本実施例では、ポインティングマーカは、キャラクタ発生回路１３０によって表示を行うものとした。しかし、例えば、マイクロコンピュータ１７０が、画像処理回路１１０に対してポインティングマーカを表す画像データを出力することによって、フレームメモリ１１１に描画する構成としてもよい。また、描画処理回路１２０に対して同様の画像データを出力することによって描画メモリ１２１に描画する構成としてもよい。これらの構成によっても、最終的に画像上にポインティングマーカを重ね合わせて表示することができる。
【００５５】
以上、本発明の実施例について説明したが、本発明はこのような実施例に限定されず、その趣旨を逸脱しない範囲で種々の構成を採ることができることはいうまでもない。例えば、ソフトウェアによって実現した機能はハードウェアによって実現するものとしてもよいし、その逆もまた可能である。
【図面の簡単な説明】
【００５６】
【図１】資料提示装置１０の概略構成を示す説明図である。
【図２】表示装置１８上に表示される画像の一例を示す説明図である。
【図３】資料提示装置１０の内部に設けられた制御回路１００のブロック図である。
【図４】カメラ関係の調整を行うための機能がまとめられたＯＳＤを示す説明図である。
【図５】ライトの制御や画像処理に関する機能がまとめられたＯＳＤを示す説明図である。
【図６】図形の描画やポインティングマーカの配置を行うための機能がまとめられたＯＳＤを示す説明図である。
【図７】資料提示装置１０の設定状態を保存するための機能がまとめられたＯＳＤを示す説明図である。
【図８】画像を保存するための機能がまとめられたＯＳＤを示す説明図である。
【図９】マウスカーソルＭＣとＯＳＤを表示する手順を示す説明図である。
【図１０】ポインティングマーカを配置する際にマイクロコンピュータ１７０によって実行される処理のフローチャートである。
【図１１】ポインティングマーカを配置すべき位置周辺の色調を他の領域の色調と異ならせる態様を示す説明図である。
【符号の説明】
【００５７】
１０...資料提示装置
１１...資料載置台
１２...カメラヘッド
１３，１４，１５...ライト
１６...アーム
１７...操作パネル
１８...表示装置
１９...マウス
３１...ズームレンズ
３２...アイリス調製機構
３３...フォーカスレンズ
３４...ＣＣＤ
１００...制御回路
１１０...画像処理回路
１１１...フレームメモリ
１１２...ＡＦＥ回路
１２０...描画処理回路
１２１...描画メモリ
１３０...キャラクタ発生回路
１３１...キャラクタＲＯＭ
１４０...ＯＳＤ発生回路
１４１...グラフィックＲＯＭ
１５０...マウスカーソル発生回路
１６０...画像合成回路
１７０...マイクロコンピュータ
１７１...ＣＰＵ
１７２...ＲＡＭ
１７３...ＥＥＰＲＯＭ
１７５...操作検出回路
１８０...ビデオＤＡＣ
１９０...スキャンコンバータ
ＰＭ１〜ＰＭ３...ポインティングマーカ
ＭＣ...マウスカーソル
【図１】
2005311598.tif 000003
【図２】
2005311598.tif 000004
【図３】
2005311598.tif 000005
【図４】
2005311598.tif 000006
【図５】
2005311598.tif 000007
【図６】
2005311598.tif 000008
【図７】
2005311598.tif 000009
【図８】
2005311598.tif 000010
【図９】
2005311598.tif 000011
【図１０】
2005311598.tif 000012
【図１１】
2005311598.tif 000013